(57)【特許請求の範囲】
【請求項１】
流体サンプル注入端と電気接触端とを備えた積層体と、
流体サンプル注入口と、
前記流体サンプル注入口と通気口との間を接続すると共に、前記流体サンプル注入口を介して流体サンプルを集めるように構成されたほぼ平らなサンプル室と、
ＧＯＤ型グルコース電極と、
ＧＤＨ型グルコース電極と、
参照電極とを備え、
前記ＧＯＤ型グルコース電極と、前記ＧＤＨ型グルコース電極と、前記参照電極とが前記サンプル室内に存在することを特徴とするグルコースバイオセンサ。
【請求項２】
前記ＧＯＤ型グルコースセンサがさらに、レドックスメディエータを含むことを特徴とする請求項１に記載のグルコースバイオセンサ。
【請求項３】
前記ＧＯＤ型グルコースセンサがさらに、結合剤と、緩衝剤と、界面活性剤とから構成されるグループから選択される１つ以上の物質を含むことを特徴とする請求項２に記載のグルコースバイオセンサ。
【請求項４】
前記ＧＤＨ型グルコースセンサがさらに、レドックスメディエータを含むことを特徴とする請求項１に記載のグルコースバイオセンサ。
【請求項５】
前記ＧＤＨ型グルコースセンサがさらに、結合剤と、緩衝剤と、界面活性剤とから構成されるグループから選択される１つ以上の物質を含むことを特徴とする請求項４に記載のグルコースバイオセンサ。
【請求項６】
一定量のグルコースオキシダーゼを組み込んだ第１グルコース感知電極と、
一定量のＰＱＱ−グルコースデヒドロゲナーゼを組み込んだ第２グルコース感知電極と、
参照電極と、
前記第１グルコース感知電極により行われる第１グルコース測定と前記第２グルコース感知電極により行われる第２グルコース測定の内の一方を選択する手段と
を備えることを特徴とするサンプル中のグルコースを測定するシステム。
【請求項７】
前記第１グルコース感知電極がさらに、レドックスメディエータを含むことを特徴とする請求項６に記載のシステム。
【請求項８】
前記第１グルコース感知電極がさらに、結合剤と、緩衝剤と、界面活性剤とから構成されるグループから選択される１つ以上の物質を含むことを特徴とする請求項７に記載のシステム。
【請求項９】
前記第２グルコース感知電極がさらに、レドックスメディエータを含むことを特徴とする請求項６に記載のシステム。
【請求項１０】
前記第２グルコース感知電極がさらに、結合剤と、緩衝剤と、界面活性剤とから構成されるグループから選択される１つ以上の物質を含むことを特徴とする請求項９に記載のシステム。
【請求項１１】
前記選択手段が、所定値と比べた場合の、前記第１グルコース測定と前記第２グルコース測定間の差を判定し、前記差に基づいて前記第１グルコース測定及び前記第２グルコース測定の内の一方を選択可能なシステムを含むことを特徴とする請求項６に記載のシステム。
【請求項１２】
グルコースオキシダーゼを組み込んだグルコース電極を使用して、血液サンプル中のグルコース濃度の第１測定を行うステップと、
ＰＱＱ−グルコースデヒドロゲナーゼを組み込んだグルコース電極を使用して、前記血液サンプル中のグルコース濃度の第２測定を行うステップと、
前記第１測定と前記第２測定間の差を計算するステップと、
前記計算された差に基づいて前記第１測定と前記第２測定の内の一方を選択するステップと
を含むことを特徴とする血液サンプル中のグルコース濃度を決定するための方法。
【請求項１３】
前記選択ステップがさらに、所定値と比べた場合の前記差に基づいて前記第１測定と前記第２測定の内の一方を選択するステップを含むことを特徴とする請求項１２に記載の方法。
【請求項１４】
前記選択ステップがさらに、前記計算された差が約２４ｍｇ／ｄＬより大きい場合に前記第１測定を選択するステップを含むことを特徴とする請求項１３に記載の方法。
【請求項１５】
前記選択ステップがさらに、前記計算された差が約２４ｍｇ／ｄＬ以下の場合に前記第２測定を選択するステップを含むことを特徴とする請求項１３に記載の方法。
【請求項１６】
試験室を形成する開放孔を有するセンサ体と、
前記開放孔内に配置されたＧＯＤ型グルコース電極と、ＧＤＨ型グルコース電極と、参照／対電極と、
前記センサ体の一端に電気接点と
を備えたことを特徴とする使い捨てグルコースセンサ。
【発明の詳細な説明】
【技術分野】
【０００１】
本発明は、血液等の体液中に存在するグルコースを検出するためのバイオセンサに関する。具体的には、本発明は、体液中のグルコースをアンペロメトリー法によって検出するバイオセンサに関する。より具体的には、本発明は、体液中のグルコースをアンペロメトリー法によって検出するための高精度バイオセンサに関する。
【背景技術】
【０００２】
糖尿病が健康上の主要な関心事であることは周知の事柄である。原則として、米国糖尿病協会（ＡＤＡ）は、ほとんどのタイプＩ（インスリン依存性）糖尿病患者に、一日に３回以上、グルコース検査を行うことを推奨している。インスリンには、血液中のグルコース又は糖の利用を管理し、治療せずに放置しておくとケトーシスを引き起こす可能性がある高血糖症を防ぐ働きがある。しかしながら、不適切なインスリン療法は、低血糖発作を引き起こしかねない。低血糖症により、昏睡が起きたり死に至ることもある。
【０００３】
糖尿病における高血糖症は、心臓疾患、アテローム性動脈硬化症、失明、脳卒中、高血圧症、腎不全等の糖尿病の長期的影響の幾つかと相互に関連している。インスリン投与量は、血糖値と関連している。したがって、血糖値を正確に検出することは、糖尿病の適切な治療には極めて重要である。血糖値を正確に監視することは、タイプＩＩ（インスリン非依存性）糖尿病患者にとっても、食事や運動による体調管理面で有益となりうる。
【０００４】
１９７０年代後半の家庭用グルコース試験紙や携帯用検出装置又は計測器の導入により、糖尿病の治療は大いに改善されている。しかしながら、従来のグルコース測定システムにつきものの不正確な検査結果により、時として不適切な糖尿病治療が導かれる。不正確な検査結果の主な要因の１つは、グルコース試験紙に用いられる化学試薬に関係している。市場に出ているグルコース試験紙の大部分は、メディエータと、グルコースオキシダーゼ（ＧＯＤ）あるいはピロロキノリンキノン依存性グルコースデヒドロゲナーゼ（ＰＱＱ−ＧＤＨ）とを使用するバイオセンサである。
【０００５】
メディエータ／ＧＯＤ型バイオセンサは、メディエータを使用しないバイオセンサ（過酸化水素測定が関わる）と比べて、グルコースの直線応答範囲を拡げる。しかしながら、酸素に関連する不具合は解消されない。メディエータは、酸素分子のように、酵素との間で電子を往復させるのに優れていない。実際、サンプル液中のどの酸素も、メディエータより効率的に酵素部位を獲得できる。メディエータ／ＧＯＤ型バイオセンサを使った測定では、流体サンプル中の酸素分圧（ｐＯ2）レベルが上昇した場合、著しく低い結果が示される。異なる酸素濃度によりもたらされる不正確な試験結果については、幾つかのグループ（非特許文献１〜４参照）によって広範囲に調査されている。タングらに警告される（非特許文献５参照）ように、危篤状態患者、及び、血中ｐＯ2レベルが予測できない患者の臨床現場即時検査にグルコース試験紙を使用する際には、特別な注意を払う必要がある。
【０００６】
さらに、生物試料に含まれる酸素レベルは多様である。静脈血サンプルの典型的な酸素分圧レベルは約３２±７ｍｍＨｇであるが、場合によっては、２０ｍｍＨｇと低いこともある。動脈血サンプルの場合は、もっと高い酸素レベルが期待できる。酸素療法を受けている患者の場合、動脈血ｐＯ2レベルは７００ｍｍＨｇと高くなることがある。つまり、メディエータ／ＧＯＤ型バイオセンサは、酸素濃度が異なると不正確な試験結果を示すことがある。このことは、グルコース濃度のレベルが低い（例えば、グルコース濃度が７０ｍｇ／ｄＬ未満）場合に、より深刻である。
【０００７】
異なる酸素濃度、すなわち、グルコースオキシダーゼの使用に関連するいわゆる「酸素効果」により生じる干渉を未然に防ぐために、最近では、酸素に影響されるグルコースオキシダーゼの代わりにグルコースデヒドロゲナーゼ（ＧＤＨ）が使用されている。補酵素がピロロキノリンキノン（ＰＱＱ）であるグルコースデヒドロゲナーゼは、酸素に反応しない。したがって、この酵素を使用したグルコースセンサは、サンプル中の様々な酸素濃度に影響されない。例えば米国インディアナ州のロシュダイアグノスティックス社によるＡｃｃｕ−ＣｈｅｋTM  Ｃｏｍｆｏｒｔ  Ｃｕｒｖｅ（登録商標）、米国カリフォルニア州アラメダ市のＴｈｅｒａＳｅｎｓｅ社によるＦｒｅｅｓｔｙｌｅ（登録商標）、米国インディアナ州ミシャワカ市のバイエルヘルスケア社によるＡｓｃｅｎｓｉａ（登録商標）など、この酵素を使用した商品は、すでに幾つか開発されて市場に出回っている。
【０００８】
グルコースデヒドロゲナーゼを使用すれば、酸素効果により引き起こされる問題は克服できる。しかしながら、グルコースデヒドロゲナーゼは、グルコースオキシダーゼほど特異的でない。グルコースと反応するだけでなく、ガラクトースやマルトースとも反応する。ガラクトースもマルトースもグルコースとよく似た構造を持っている。マルトースは、２つのグルコース単位からなり、ガラクトースは、炭素番号４のヒドロキシル基の位置がグルコースと異なるだけである。深刻な干渉が予想されうる。実際、ＧＤＨ型バイオセンサは、マルトースにより敏感で、グルコースとガラクトースとを区別できない（非特許文献６参照）。
【０００９】
試験紙が、酵素法としてグルコースデヒドロゲナーゼピロロキノリンキノンを使用する場合、患者は不当に高いグルコース測定値を得る可能性がある。このため、食品医薬品局（ＦＤＡ）は、メディケアメディケイドサービスセンター及びＥＳＲＤネットワークスに、２００３年４月１８日、イコデキストリン腹膜透析液を使用中の腹膜透析患者のグルコース測定値に対する懸念と、マルトースの作用により不当に上昇したグルコース測定値の影響とに対し、注意をうながした。不当に高い血糖測定値により患者は必要とされる以上のインスリンを投与される可能性がある。これは、言い換えると、不必要に患者の血糖値を下げることになり、意識消失を含む深刻な反作用を引き起こす可能性がある。
【００１０】
それゆえに、より正確な血糖測定値を提供できるグルコース測定システムが必要とされている。また、流体サンプル中の酸素分圧の変化によって起きる不正確な試験結果を減少させることで、より正確な血糖測定値を提供できるグルコース測定システムが必要とされている。さらに、流体サンプル中の他の糖により引き起こされる不正確な試験結果を減少させることで、より正確な血糖測定値を提供できるグルコース測定システムが必要とされている。またさらに、より正確な血糖測定値を提供できる使い捨てグルコースセンサが必要とされている。
【非特許文献１】Ｔ．Ｙ．チュン、Ｍ．ヒロセ、Ｔ．サワ、Ｍ．ハラダ、Ｔ．ホソカワ、Ｙ．タナカ、Ｍ．ミヤザキ、麻酔と鎮痛（Ａｎｅｓｔｈ  Ａｎａｌｇ．）、７５、９９３−７、１９９４
【非特許文献２】Ｊ．Ｈ．リー、Ｈ．ビュー、Ｇ．Ｊ．コスト、臨床化学（Ｃｌｉｎｉｃａｌ  Ｃｈｅｍｉｓｔｒｙ）、４２、Ｓ１６３、１９９６
【非特許文献３】Ｋ．クラハシ、Ｈ．マリタ、Ｙ．ウスダ、Ｍ．オーツカ、救命医療（Ｃｒｉｔ．  Ｃａｒｅ  Ｍｅｄ．）、２５、２３１−２３５、１９９７
【非特許文献４】Ｚ．タング、Ｒ．Ｆ．ルイ、Ｍ．ペイエ、Ｋ．チャング、Ｇ．Ｊ．コスト、糖尿病科学と療法論（Ｄｉａｂｅｔｅｓ  Ｔｅｃｈｎｏｌｏｇｙ＆Ｔｈｅｒａｐｅｕｔｉｃｓ）、２、３４９−３６２、２０００）
【非特許文献５】Ｚ．タング、Ｒ．Ｆ．ルイ、Ｊ．Ｈ．リー、Ｄ．Ｍ．リー、Ｅ．Ｅ．ミラー、Ｇ．Ｊ．コスト、救命医療（Ｃｒｉｔ．  Ｃａｒｅ  Ｍｅｄ．）、２９、１０６２−１０７０、２００１
【非特許文献６】Ｊ．Ｄ．ニューマン、Ｃ．Ａ．ラムズデン、Ｎ．Ｄ．Ｈ．バラス、臨床化学（Ｃｌｉｎｉｃａｌ  Ｃｈｅｍｉｓｔｒｙ）、４８、２０７１、２００２
【発明の開示】
【発明が解決しようとする課題】
【００１１】
本発明の目的は、溶存酸素及び流体サンプル中に存在するマルトース及びガラクトースによる干渉を最小にするグルコース測定値を提供するグルコースセンサシステムを提供することである。本発明の別の目的は、代替箇所である指、あるいは上腕、前腕、親指の付け根、太腿等の毛管血試験に使用できる使い捨てグルコースセンサを提供することである。本発明の別の目的は、少量の血液サンプルで正確な結果を出すことのできる使い捨てグルコースセンサを提供することである。
【課題を解決するための手段】
【００１２】
本発明のこれら及びその他の目的は、それぞれがグルコース測定のために異なる酵素を組み込んだ２つのグルコース電極を組み込むこと、さらに、流体サンプル中のグルコース濃度を決定するために適切な電極応答を選択することにより達成される。２つの酵素は、グルコースオキシダーゼ（ＧＯＤ）と、キノプロテイングルコースデヒドロゲナーゼ（ＧＤＨ）、より具体的にはピロロキノリンキノン依存性グルコースデヒドロゲナーゼ（ＰＱＱ−ＧＤＨ）である。２つのグルコース（すなわち作用）電極は、共に、直線範囲全体にわたってグルコース濃度に応答する。サンプルのｐＯ2レベルが低い場合、ＧＯＤ型作用電極が高い応答を示す一方で、ＧＤＨ型作用電極は正しい結果を示す。したがって、好ましい応答は、ＧＤＨ型作用電極からのものである。サンプルがマルトースかガラクトースを含んでいる場合、ＧＤＨ型作用電極が高い応答を示す一方で、ＧＯＤ型作用電極は正確な結果を示す。好ましい応答は、ＧＯＤ型作用電極からのものである。選択作業は、グルコース電極測定値が前もってプログラムされた計測器に自動で入力される際に、機械的に行われるのが望ましい。
【００１３】
本発明のグルコースセンサは、参照することにより本書に援用される米国特許Ｎｏ．６，７６７，４４１、米国特許番号６，２８７，４５１、米国特許番号６，２５８，２２９、米国特許番号６，８３７，２２９、米国特許番号６，９４２，７７０に開示されるような、４層構造及び３層構造を備えた実施例を幾つか組み込んでいるが、それらに制限されるものではない。
【００１４】
本発明の第１局面において、グルコースセンサは、４層積層構造を使用してもよい。
第１局面において、グルコースセンサは、サンプル流体経路を有する長尺の積層体を備え、サンプル流体経路は、積層体の一端に設けられた開口と該開口から離して配設された通気口とを接続する、ほぼ平らなサンプル室を形成しているのが好ましい。この流体経路内には、少なくとも２つの作用電極と１つの参照／対電極とが設けられていても良い。該２つ以上の作用電極と参照電極との配置は、センサから得られる結果にとって重要ではない。作用電極及び参照電極は、それぞれ個別の導電性パスと電気的に接触していて、この個別の導電性パスは、積層体のサンプル入口端と対向する端部にその末端を有すると共に、そこで測定装置と電気的に接続されるよう露出した状態となっているのが好ましい。
【００１５】
第１局面の別の局面において、積層体は、プラスチック材料から成る基部絶縁層を有していて、この基部絶縁層上には、幾つかの導電性パスが描かれているのが好ましい。これらの導電性パスは、スクリーン印刷、又は蒸着、又は基部絶縁層に付着する導電層を提供する何らかの方法によって、絶縁層上に設けられても良い。導電性パスは、個々に絶縁層上に設けられても良いし、導電層を絶縁層上に設け、その後、必要とされる数の導電性パスをエッチング／スクライビング処理により設けても良い。エッチング処理は、化学的に行われても良いし、導電層に機械的に線を刻み付けることによって行われても良いし、レーザを使用して導電層にスクライビング処理を施すことによって個別の導電性パスを形成することによって成し遂げられても良いし、あるいは本発明で必要とされる個別の導電性パス間を絶縁する何らかの手段によって成し遂げられても良い。使用できる導電皮膜又は層は、銅、又は金、又は酸化スズ／金、又はパラジウム、又はその他の貴金属又はその酸化物、又は炭素膜組成物の皮膜である。好ましい導電被膜は、金被膜又は酸化スズ／金被膜組成物である。
【００１６】
本発明の第１局面のさらなる局面において、積層体は、基部層及び導電性パス上に、試薬保持層又は電極領域規定層とも呼ばれる第１中間絶縁層を備えるのが好ましい。試薬保持層は、２つ以上の作用電極のための少なくとも２つの開口部と参照電極のための１つの開口部とを備えるのが好ましい。各開口部は、それぞれ１つの導電性パスの小部分に対応すると共に、その小部分を露出させているのが好ましい。作用電極用の開口部は、実質的に同じ大きさであるのが好ましい。参照電極用の開口部の大きさは、作用電極用の開口部と同じであっても良いし、異なっていても良い。全ての開口部が、上述のサンプル流体経路内に位置するように配置されるのが好ましい。この試薬保持層もまた、絶縁誘電性材料、好ましくはプラスチックから作られ、その材料を機械的に又はレーザを用いてダイカットし、その後基部層に固定することによって形成されても良い。感圧接着剤等の接着剤を用いて、第１中間絶縁層を基部層に固定しても良い。接着はまた、試薬保持層を基部層に超音波接合することによって成し遂げられても良い。試薬基部層は、絶縁材料をスクリーン印刷することによって形成されても良いし、基部層に感光性樹脂を結合させることによって形成されても良い。
【００１７】
第１局面のさらに別な局面において、積層体はまた、試薬保持層上に、経路形成層とも呼ばれる第２中間絶縁層を備えるのが好ましい。この経路形成層は、同じくプラスチック絶縁材料から成ると共に、積層体のサンプル室を形成しているのが好ましい。経路形成層は、一端にＵ字形の開口部を備え、このＵ字形の開口部は、先述の積層体のサンプル入口端に対応する開口端で試薬保持層の開口部を覆っているのが好ましい。経路形成層として、両面塗布の感圧接着テープを使用しても良い。
【００１８】
第１局面のさらに別な局面において、本発明の積層体は、通気口と入口ノッチとを備えたカバーを有するのが好ましい。この通気口は、少なくともその一部が、経路形成層のＵ字形開口部の底部を覆うように配置されているのが好ましい。この通気口により、サンプル流体が積層体のサンプル入口又はサンプル注入口から入り込んだ時、サンプル流体経路内の空気が逃がされる。ノッチが、サンプル入口端に配置されているのが好ましい。サンプル流体は、毛管現象によってサンプル室を満たす。少量の状態では、毛管現象の程度は、毛管現象を起こしている流体と接触した表面の疎水性／親水性の性質に左右される。毛管力は、親水性絶縁材料を用いてカバーを形成することによって、あるいは積層体の開口端とカバーの通気口との間のサンプル室と向き合ったカバー領域において、疎水性絶縁材料の一方の面の少なくとも一部を親水性の物質で覆うことによって、高めることができる。当然のことながら、カバーの一方の面全体を親水性物質で覆った後、経路形成層に接着しても良い。
【００１９】
第１局面のさらに別な局面において、１つの開口部には、ＧＯＤ、メディエータ、その他の成分を組み込んだ第１作用電極（Ｗ１）と、ピロロキノリンキノン依存性グルコースデヒドロゲナーゼ（ＰＱＱ−ＧＤＨ）、メディエータ、その他の成分を組み込んだ第２作用電極（Ｗ２）と、参照電極（Ｒ）とのための電極材料が含まれるのが好ましい。経路における作用電極と参照電極の位置配置は、電気化学センサから利用可能な結果を得るのに重要ではない。サンプル流体経路内の可能な電極配置は、積層体のサンプル入口から通気口までの間の配置順序が、Ｗ１−Ｗ２−Ｒ、Ｗ１−Ｒ−Ｗ２、Ｒ−Ｗ１−Ｗ２、Ｗ２−Ｗ１−Ｒ、Ｗ２−Ｒ−Ｗ１、Ｒ−Ｗ２−Ｗ１のいずれかである。好ましい配置は、Ｗ１−Ｗ２−Ｒ、つまり、サンプル流体が積層体の開口端から入り込んだ後、最初にＷ１を、その後Ｗ２を、更にその後Ｒを覆う配置である。好ましい配置により、サンプル流体量が不十分なために引き起こされる信頼性及び精度に関する問題が取り除かれる。この場合、作用電極及び参照電極は、それぞれ個別の導電性パスと電気的に接触している。個別の導電性パスは、積層体のサンプル入口端に対向する端部にその末端を有すると共に、そこで測定装置と電気的に接続されるように露出した状態となっている。
【００２０】
第１局面のさらなる局面において、作用電極には、少なくともレドックスメディエータ及び１つの酵素（ＧＯＤ又はＰＱＱ−ＧＤＨ）の混合物と、選択的に１つ以上の界面活性剤と、高分子接着剤と、緩衝剤とが組み込まれているのが好ましい。参照電極には、作用電極と同じ混合物を組み込んでも良い。参照電極開口部には、少なくとも１つの界面活性剤と、高分子接着剤と、緩衝剤とを伴うあるいは伴わないレドックスメディエータ（還元又は酸化された状態あるいはその混合体）が組み込まれていても良いことは指摘しておくべきであろう。代わりに、参照電極開口部には、Ａｇ／ＡｇＣｌ層（例えば、Ａｇ／ＡｇＣｌインクを塗布することにより、又は、スパッタ法を用いて銀又は銀／塩化銀層で覆うことにより）又はその他の参照電極材料が組み込まれていても良い。
【００２１】
本発明の第２局面におけるグルコースセンサの構造は、第１局面と同じであるが、ブランク電極が付加されているのが好ましい。ブランク電極にはメディエータとその他の成分が組み込まれ、グルコースに敏感な酵素は付加されていない。このような４電極システムは、第１局面の特徴だけでなく、アスコルビン酸、アセトアミノフェン、尿酸等のサンプル中の酸化しやすい種からの干渉を排除する機能を備える。
【００２２】
第２局面において、少なくとも４つの導電性パスが基部層上に描かれ、試薬保持層は、３つの作用電極及び参照電極のための少なくとも４つの開口部を備えるのが好ましい。
第２局面の別の局面において、１つの開口部には、ＧＯＤ、メディエータ、その他の成分を組み込んだ第１作用電極（Ｗ１）と、ＰＱＱ−ＧＤＨ、メディエータ、その他の成分を組み込んだ第２作用電極（Ｗ２）と、メディエータ、その他の成分を組み込んだブランク電極（Ｂ）と、参照電極（Ｒ）とのための電極材料が含まれるのが好ましい。経路における作用電極、ブランク電極、参照電極の位置配置は、電気化学センサから利用可能な結果を得るために重要ではない。好ましい配置は、Ｗ１−Ｗ２−Ｒ−Ｂ、つまり、サンプル流体が積層体の開口端から入り込んだ後、最初にＷ１を、その後Ｗ２を、次にＲを、更にその後Ｂを覆う配置であることがわかっている。
【００２３】
本発明のさらに別な局面におけるグルコースセンサの構造が、第１局面と同じであるが、試薬保持層を使用していないのが好ましい。残りの３層は第１局面と同じである。この構造の詳細は、米国特許Ｎｏ．６，２５８，２２９に開示されている。Ｕ字形の経路切取部がセンサ端（サンプル入口端）に配置されている。Ｕ字形の経路切取部の長さ、厚み、幅が、毛管経路の大きさ又は体積を規定している。基部導電層に沿ったＵ字形の経路切取部の長さと幅が、作用電極と参照電極とサンプル室との領域を規定するが、上述したように、代わりとなる化学構造を備えていても良い。
【００２４】
ある局面において、作用電極（Ｗ１及びＷ２）は少なくとも、１つの酵素（ＧＯＤ又はＰＱＱ−ＧＤＨ）と、レドックスメディエータと、高分子接着剤と、界面活性剤と、緩衝剤とを組み込んでいる。参照電極（Ｒ）は、作用電極の１つと同じ試薬混合物により覆われるのが好ましい。
【００２５】
本発明の第４局面において、グルコースセンサは、スクリーン印刷技術に基づいて製造されるのが好ましい。導電性インク（例えば、作用電極用の炭素インク、参照電極用の銀／塩化銀インク）は、乾燥後に電極としての役割を果たす基部上に印刷される。毛管経路は、先の局面に記載したように、Ｕ字型のスペーサ及びカバーを設けることにより形成できる。Ｕ字型経路切取部は、センサ端（サンプル入口端）に配置される。Ｕ字型経路切取部の長さ、厚み、幅が、毛管経路の大きさ又は体積を規定する。
【００２６】
第４局面のある局面において、作用電極（Ｗ１及びＷ２）は、少なくとも１つの酵素（ＧＯＤ又はＧＤＨ−ＰＱＱ）と、レドックスメディエータと、高分子接着剤と、界面活性剤と、緩衝剤とを組み込んでいるのが好ましい。参照電極（Ｒ）は、作用電極の１つと同じ試薬混合物により覆われていても良いし、覆われていなくても良い。
【００２７】
第４局面の別の局面において、酵素、レドックスメディエータ、その他の成分は、インクと混合されて基部絶縁層上にスクリーン印刷されても良い。
本発明の第５局面において、グルコースセンサは、２つの経路（経路１及び経路２）を同じ試験紙上に有している。各経路は、上述した局面に記載のものと同じ構造を有する。経路１及び経路２は、並んで配置されるか背中合わせに配置される。２つの経路のサンプル入口は互いに接近しているか、あるいは、２つの経路は単純に同じサンプル入口を分け合っている。
【００２８】
第５局面のある局面において、経路１は、好ましくは、少なくとも１つの作用電極と１つの参照電極とを有している。該少なくとも１つの作用電極は、ＧＯＤと、メディエータと、その他の成分とを組み込んでいる。経路１は、１つのグルコースセンサとして独立して機能できる。
【００２９】
第５局面の別の局面において、経路２は、好ましくは、少なくとも１つの作用電極と１つの参照電極とを有している。該少なくとも１つの作用電極は、ＰＱＱ−ＧＤＨ、メディエータ、その他の成分を組み込んでいる。経路２は、別のグルコースセンサとして独立して機能できる。
【００３０】
本発明のさらに別の局面において、使い捨て試験紙は、好ましくは、試験室を形成する開放孔を備えたセンサ体と、該試験室内に少なくとも２つの作用電極と１つの参照電極と、該少なくとも２つの作用電極と１つの参照電極とを計測装置に電気的に接続するための電気接点とを備える。試験室は、少なくとも２つの試薬を含み、それぞれが少なくとも２つの作用電極上にある。試薬の一方はＧＯＤを含み、他方はＧＤＨを含む。計測装置は、作用電極と参照電極とにバイアス電位を提供すると共に、使い捨て試験紙の開放孔に配置された流体サンプル中にグルコースが存在する場合に発生する電流を検出できなければならない。
【００３１】
本発明の有利な点は全て、詳細な説明、図面及び添付の請求項を参照することでより明確にされる。
【発明を実施するための最良の形態】
【００３２】
本発明の好ましい実施例を、図１から２５に示す。本発明のグルコースセンサは、４層構造（図１）又は３層構造（図３）のいずれかにより形成されている。４層構造は、３層構造と同じ３層と、基部／底部層と経路形成層との間に試薬保持層とを備える。
【００３３】
図１において、グルコースセンサ１０は、積層体１２と、流体サンプル端１４と、電気接触端１６と、通気口５２とを備える。流体サンプル端１４は、サンプル注入口１８と通気口５２との間にサンプル室１７を備える。電気接触端１６は、少なくとも３つの別個の導電接触部１６ａ、１６ｂ、１６ｃを備える。
【００３４】
図２では、積層体１２が、基部層２０と、試薬保持層３０と、経路形成層４０と、カバー５０とから構成されている。積層体１２の全ての層は、誘電性材料、好ましくはプラスチックから作られる。好ましい誘電性材料の例としては、ポリ塩化ビニル、ポリカーボネート、ポリサルフォン、ナイロン、ポリウレタン、硝酸セルロース、プロピオン酸セルロース、酢酸セルロース、酢酸酪酸セルロース、ポリエステル、ポリイミド、ポリプロピレン、ポリエチレン、ポリスチレンである。
【００３５】
基部層２０は、導電層２１を有し、その上に３つの導電性パス２２、２４、２６が描かれている。導電性パス２２、２４、２６は、導電層２１にスクライビング又はスコアリングを行うことにより形成されても良いし、あるいは、導電性パス２２、２４、２６を基部層２０上にシルクスクリーン捺染することにより形成されても良い。導電層２１のスクライビング又はスコアリングは、導電層２１を機械的に十分にスクライビングすることにより、３つの独立した導電性パス２２、２４、２６を生成するものであっても良い。本発明の好ましいスクライビング又はスコアリング法は、炭酸ガス（ＣＯ２）レーザか、ＹＡＧレーザか、エキシマレーザを用いて行われる。導電層２１は、どんな導電材料、例えば、金、又は酸化スズ／金、又はパラジウム、又はその他の貴金属又はそれらの酸化物、又は炭素膜組成物からできていても良い。好ましい導電材料は、金又は酸化スズ／金である。基部層２０に使用できる材料は、酸化スズ／金ポリエステルフィルム（Ｃａｔ．Ｎｏ．ＦＭ−１）又は金ポリエステルフィルム（Ｃａｔ．Ｎｏ．ＦＭ−２）である。これらのフィルムは、カリフォルニア州カノガパークのコートールズパフォーマンスフィルムズ（Ｃｏｕｒｔａｕｌｄｓ  Ｐｅｒｆｏｒｍａｎｃｅ  Ｆｉｌｍｓ）により販売されている。
【００３６】
試薬保持層３０を使用する実施例（４層構造）において、試薬保持層３０は、３つの試薬保持開口部３２、３４、３６を有する。試薬保持開口部３２は、導電性パス２２の一部を露出させ、試薬保持開口部３４は、導電性パス２４の一部を露出させ、試薬保持開口部３６は、導電性パス２６の一部を露出させて、試薬保持孔を形成している。試薬保持層３０は、プラスチック材料から作られ、好ましくは、ペンシルバニア州グレンロックのアドヒーシブリサーチ社（Ａｄｈｅｓｉｖｅ  Ｒｅｓｅａｒｃｈ，Ｉｎｃ．）から購入可能な医療用片面テープから作られる。本発明に適用できるテープの厚さは、およそ０．００１（０．０２５ｍｍ）から０．００５インチ（０．１３ｍｍ）である。そのようなテープとしては、Ａｒｃａｒｅ（登録商標）７８１５（約０．００２５インチ（０．０６３ｍｍ））が好ましい。なぜなら、扱いやすい上に、十分な量の化学試薬を保持し、センサのサンプル室を通じて毛管現象を促進する能力において非常に優れた性能を示したためである。テープは必ずしも使用する必要はない。上述のポリエステル製テープを使用した場合と同じ結果を得るために、試薬保持層３０をプラスチックシートから構成して、粘着剤、感光性樹脂で覆っても良いし、また、基部層２０に超音波を使って接着しても良いし、あるいは、基部層２０上にシルクスクリーン捺染しても良い。
【００３７】
３つの試薬保持開口部３２、３４、３６は、それぞれ、電極領域Ｗ１、Ｗ２、Ｒを規定し、２つの作用電極（ＧＯＤ型グルコース電極およびＧＤＨ型グルコース電極）と１つの参照電極とを形成する化学試薬を保持する。通常、電極領域には、試薬混合物を充填しなければならない。作用電極領域３２、３４、３６用の試薬混合物は、酵素と、任意の高分子化合物と、界面活性剤と、緩衝剤との混合物である。電極領域Ｒには、作用電極の試薬混合物に似た参照試薬マトリクスを充填しても良い。
【００３８】
通常、好ましい導電皮膜材料を用いる際には、電極領域Ｒにレドックス試薬又はメディエータが充填されていないと、参照電極は適切に機能しない。参照試薬混合物には、酸化型あるいは酸化及び還元型混合のレドックスメディエータと、少なくとも１つの結合剤と、界面活性剤と、酸化防止剤（還元型のレドックスメディエータが使用される場合）と、充填剤とが含まれるのが好ましい。その代わりに、参照電極（電極領域Ｒ）には、適切に機能するように、銀／塩化銀層（例えば銀又は銀／塩化銀インクを塗布することにより、又は、スパッタ法を用いて銀又は銀／塩化銀層で覆うことにより）又はレドックスメディエータを必要としないその他の参照電極材料を充填しても良い。
【００３９】
試薬保持開口部の大きさは、グルコースセンサのサンプル室をできるだけ短くする一方で適切に機能するのに十分な化学試薬を保持できる程度に、可能な限り小さくするのが好ましい。試薬保持開口部の好ましい形は円形であり、好ましい直径は約０．０３インチ（０．７６ｍｍ）である。３つの試薬保持開口部３２、３４、３６は互いに位置合わせされ、約０．０２５インチ（０．６２５ｍｍ）の間隔が置かれている。円形の試薬保持開口部は、例示目的だけのものであり、当然のことながら、試薬保持開口部の形は重要ではない。
【００４０】
経路における作用電極と参照電極の位置配置は、グルコースセンサから利用可能な結果を得るのに重要ではない。サンプル流体経路内での可能な電極配置は、積層体１２のサンプル注入口１８から通気口５２までの間の配列順で、Ｗ１−Ｗ２−Ｒ、Ｗ１−Ｒ−Ｗ２、Ｒ−Ｗ１−Ｗ２、Ｗ２−Ｗ１−Ｒ、Ｗ２−Ｒ−Ｗ１、Ｒ−Ｗ２−Ｗ１のいずれかである。好ましい配置は、Ｗ１−Ｗ２−Ｒ、すなわち、流体サンプルが、積層体１２のサンプル端１４から入り込んだ後、最初にＷ１を、その後Ｗ２を、更にその後Ｒを覆う配置である。このような配置は、サンプルが不十分又は部分的に不十分である場合に、利用可能な結果を得るのに有利と考えられる。
【００４１】
作用電極及び参照電極は、それぞれ個別の導電性パスと電気的に接触している。この個別の導電性パスは、積層体１２のサンプル注入口１８と対向する端部にその末端を有すると共に、そこで測定装置と電気的に接続するように露出した状態となっている。
【００４２】
試薬保持層３０を使用した実施例（４層構造）において、経路形成層４０は、流体サンプル端１４に位置するＵ字型の切取部４２を有している。切取部４２の長さは、経路形成層４０を試薬保持層３０上に重ねた時、電極領域Ｗ、Ｒが切取部４２により規定される空間内に収まる程度にする。Ｕ字型の切取部４２の長さ、幅、厚みは、毛管経路の体積を規定している。経路形成層４０の厚みは、サンプル流体経路に流れ込むサンプル流体の速さに影響を与える。サンプル流体経路は、サンプル流体の毛管現象により満たされる。経路形成層４０は、プラスチック材料から作られ、好ましくは、ペンシルバニア州グレンロックのアドヒーシブリサーチ社（Ａｄｈｅｓｉｖｅ  Ｒｅｓｅａｒｃｈ，Ｉｎｃ．）から購入可能な医療用両面テープから作られる。本発明に適用できるテープの厚さは、およそ０．００１インチ（０．０２５ｍｍ）から０．０１０インチ（０．２５ｍｍ）である。そのようなテープとしては、Ａｒｃａｒｅ（登録商標）７８４０（約０．００３５インチ（０．０８９ｍｍ））が好ましい。Ｕ字型の切取部４２は、レーザ又はダイカットにより形成することができる。好ましい方法としては、切取部をダイカットにより形成することである。Ｕ字型の切取部の好ましい大きさは、幅約０．０５インチ（１．２７ｍｍ）、厚み約０．００３５インチ（０．０８９ｍｍ）である。長さは、開口部の数によって決まる。
【００４３】
経路形成層４０上に重ねられるカバー５０は、サンプル室１７内の流体サンプルが電極領域Ｗ１、Ｗ２、Ｒを完全に覆うように、グルコースセンサ１０の流体サンプル端１４から間隔をあけて配置された通気口５２を備える。通気口５２は、Ｕ字型切取部４２と幾分位置合わせされてカバー５０に設けられる。通気口５２は、Ｕ字型切取部４２の一部を露出させると共に、その底部と部分的に重なるのが好ましい。通気口５２の好ましい形は、横約０．０８インチ（２ｍｍ）、縦約０．０３５インチ（０．９ｍｍ）の長方形である。また、最上層は、サンプル室１７への流体サンプルの充填を容易にするために、流体サンプル端１４にノッチ５４を備えるのが好ましい。好ましい形状は、半円形状であり、経路入口のほぼ中間に配置される。好ましい大きさは、直径０．０２８インチ（０．７１ｍｍ）である。カバー５０の好ましい材料は、ポリエステルフィルムである。毛管作用を促進するために、ポリエステルフィルムが親水性の高い面を毛管経路に対向する面に有するのが望ましい。３Ｍの透明フィルム（Ｃａｔ．Ｎｏ．ＰＰ２２００又はＰＰ２５００）は、本発明のカバーとして使用されるのに好ましい材料である。
【００４４】
図３に３層グルコースセンサ１０’を示す。４層の実施例と同様、グルコースセンサ１０’は、積層体１２と、流体サンプル端１４と、電気接触端１６と、通気口５２とを備える。流体サンプル端１４は、サンプル注入口１８と通気口５２との間にサンプル室１７を備える。電気接触端１６は、３つの別個の導電接触部１６ａ、１６ｂ、１６ｃを備える。
【００４５】
図４からわかるように、積層体１２は、基部層２０と、経路形成層４０と、カバー５０とから構成されている。上述したように、積層体１２の全ての層は、誘電性材料、好ましくはプラスチックから作られる。４層実施例とは異なり、３層実施例には別個の試薬保持層はない。経路形成層４０はまた、所定量の試薬混合物が、２つの作用電極及び参照電極上それぞれに、識別可能な３つの滴又は小滴として導電性パス上に配置される領域を画定する。
【００４６】
図５は、ＧＯＤ型グルコースセンサ１０とＧＤＨ型グルコースセンサ３００とを組み合わせたものを示している。ＧＯＤ型グルコースセンサ１０もＧＤＨ型グルコースセンサ３００も、４層構造からなり、各センサの基部層が互いに重ねられた統合グルコースセンサユニットを形成している。各センサは、積層体１２、３１２と、流体サンプル端１４、３１４と、電気接触端１６、３１６と、通気口５２、３５２（図示されない）とを備える。流体サンプル端１４、３１４は、サンプル注入口１８、３１８と通気口５２、３５２とのそれぞれの間にサンプル室（図示されない）を備える。
【００４７】
図６では、各センサ１０、３００が、基部層２０、３２０と、試薬保持層３０、３３０と、経路形成層４０、３４０と、カバー５０、３５０とを有する。試薬保持層３０、３３０は、それぞれ試薬保持開口部３２、３４及び３３２、３３４を有する。経路形成層４０、３４０は、それぞれＵ字型切取部４２、３４２を有する。通常、センサ１０及び３００を１つにするのに接着剤が使用される。センサ１０とセンサ３００の組み立てを容易にするために、両面に接着剤がついた追加の層（図示されない）を使用するのが好ましい。
【００４８】
図７は、ＧＯＤ型グルコースセンサ１０’とＧＤＨ型グルコースセンサ３００’との別の組み合わせ例を示している。ＧＯＤ型グルコースセンサ１０’もＧＤＨ型グルコースセンサ３００’も、３層構造からなり、各センサの基部層が互いに重ねられて統合ユニットを形成している。各センサは、積層体１２、３１２と、流体サンプル端１４、３１４と、電気接触端１６、３１６と、通気口５２、３５２（図示されない）とを備える。流体サンプル端１４、３１４は、サンプル注入口１８、３１８と通気口５２、３５２とのそれぞれの間にサンプル室（図示されない）を備える。
【００４９】
図８では、各センサ１０’、３００’が、基部層２０、３２０と、経路形成層４０、３４０と、カバー５０、３５０とを有する。経路形成層４０、３４０は、それぞれＵ字型切取部４２、３４２を有する。
【００５０】
図９に、７層積層体２１２を備えたＧＯＤ型グルコースセンサ及びＧＤＨ型グルコースセンサの組み合わせ２００を示す。この組み合わせは、ＧＯＤ型グルコースセンサ２１０とＧＤＨ型グルコースセンサ２１０’とを含んでいる。積層体２１２は、流体サンプル端２１４と、電気接触端２１６と、通気口２５２、２５２’（図示されない）とを含む。流体サンプル端２１４は、２つのサンプル流体経路（図示されない）を備え、一方はサンプル注入口２１８と通気口２５２との間、他方はサンプル注入口２１８’と通気口２５２’（図示されない）との間にある。
【００５１】
図１０は、図９の実施例の積層体２１２の拡大図を示している。積層体２１２は、各センサの作用電極及び参照電極のための導電性パスを描く各側に導電性皮膜２２１、２２１’を備えた中央基部層２２０を有する。中央基部層２２０の各側には、試薬保持層２３０、２３０’と、経路形成層２４０、２４０’と、カバー２５０、２５０’とが設けられている。試薬保持層２３０、２３０’は、試薬保持開口部２３２、２３４及び２３２’、２３４’をそれぞれ有している。経路形成層２４０、２４０’は、それぞれＵ字型切取部２４２、２４２’を有している。
【００５２】
図１１は、５層積層体４１２を備えたＧＯＤ型グルコースセンサ及びＧＤＨ型グルコースセンサユニット４００を示す。この組み合わせ４００は、ＧＯＤ型グルコースセンサ４１０とＧＤＨ型グルコースセンサ４１０’とを含んでいる。積層体４１２は、流体サンプル端４１４と、電気接触端４１６と、通気口４５２、４５２’（図示されない）とを備える。流体サンプル端４１４は、２つのサンプル室（図示されない）を備え、一方はサンプル注入口４１８と通気口４５２との間、他方はサンプル注入口４１８’と通気口４５２’（図示されない）との間にある。
【００５３】
図１２は、図１１の実施例の積層体４１２の拡大図を示している。積層体４１２は、各センサの作用及び参照電極のための導電性パスが描かれた各側に導電性皮膜４２１、４２１’を備えた中央基部層４２０を有する。中央基部層４２０の各側には、経路形成層４４０、４４０’と、カバー４５０、４５０’とが設けられている。経路形成層４４０、４４０’は、それぞれＵ字型切取部４４２、４４２’を有している。
【００５４】
当然ながら、どの組み合わせのセンサシステムにおいても、ＧＯＤ型及びＧＤＨ型グルコースセンサのサンプル室それぞれへの流体サンプルの一部充填作業を容易にするために、基部層及び試薬保持層に注入ノッチを組み込んでいても良い。
【００５５】
図１３は、本発明のさらに別の実施例を示し、インターフェラント（ｉｎｔｅｒｆｅｒａｎｔ）修正されたＧＯＤ型及びＧＤＨ型グルコースセンサの組み合わせを示している。図１３は、積層体６１２と、流体サンプル端６１４と、電気接触端６１６と、通気口６５２とを備えたＧＯＤ型及びＧＤＨ型グルコースセンサ結合体６００を示している。センサ６００もまた、注入口ノッチ６５４を選択的に備えていても良い。流体サンプル端６１４は、サンプル注入口６１８及び通気口６５２との間に流体サンプル室６１７を備える。
【００５６】
図１４は、図１３の実施例の積層体６１２の拡大図である。積層体６１２は、基部層６２０と、試薬保持層６３０と、Ｕ字型切取部６４２を備えた経路形成層６４０と、注入口ノッチ６５４を選択的に備えたカバー６５０とを有する。基部層６２０は、導電層６２１を有し、その上には少なくとも４つの導電性パス６２２、６２４、６２６、６２８が描かれている。試薬保持層６３０は、少なくとも４つの試薬保持開口部６３２、６３４、６３６、６３８を有する。試薬保持開口部６３２は、導電性パス６２２の一部を露出させ、試薬保持開口部６３４は、導電性パス６２４の一部を露出させ、試薬保持開口部６３６は、導電性パス６２６の一部を露出させ、試薬保持開口部６３８は、導電性パス６２８の一部を露出させて、それぞれ電極孔を形成している。
【００５７】
４つの試薬保持開口部６３２、６３４、６３６、６３８はそれぞれ、電極領域Ｗ１、Ｗ２、Ｒ、Ｂを規定し、第１作用電極、第２作用電極、１つの参照電極、ブランク電極を形成する化学試薬を保持する。一般的に、電極領域Ｗ１には、グルコースオキシダーゼを含むＧＯＤ型試薬と、レドックスメディエータ（酸化型レドックスメディエータが好ましい）とが充填される。電極領域Ｗ２には、ＰＱＱ−ＧＤＨを含むＧＤＨ型試薬と、レドックスメディエータ（酸化型レドックスメディエータが好ましい）とが充填される。グルコース型酵素を含まないＧＯＤ型試薬混合物又はＧＤＨ型試薬混合物に似た参照試薬マトリクスは、電極領域Ｂ及び電極領域Ｒの両方に充填されても良い。
【００５８】
通常、電極領域Ｒには、例えばレドックス対／レドックス試薬等の参照試薬を充填しなければならない。その代わりに、電極領域Ｒには、Ａｇ／ＡｇＣｌ層（例えば、Ａｇ／ＡｇＣｌインクを塗布することにより、又は、スパッタ法によりＡｇ又はＡｇ／ＡｇＣｌ層で覆うことにより）又はその他の参照電極材料が充填されても良い。電極領域Ｂには、グルコース型酵素が付加されていないものであればどんな試薬混合物を充填しても良い。
【００５９】
血液ヘマトクリットのセンサ測定値を補償するために、電極領域Ｂと参照電極との間の流体サンプル抵抗を計測する他に、アスコルビン酸、尿酸、アセトアミノフェンのような易酸化性インターフェラント（電気化学バイオセンサの出力における測定値も不正確にする）を、これらのインターフェラントのセンサ測定値を補償するために計測しても良い。インターフェラント効果は、サンプル流体の濃度を計算するためにＷ２（第２作用電極）だけでなくＷ１（第１作用電極）からの電流応答からＢ（ブランク電極）の電流応答を差し引くことにより打ち消すことができる。これは、Ｂ対Ｗ２、及び、Ｂ対Ｗ１の表面積比を不変に保つことにより達成される。
【００６０】
図１５には、本発明の別の実施例の４層構造が示されており、ＧＯＤ型センサシステムとＧＤＨ型センサシステムとを並べて配置した構成の組み合わせが示されている。図１５は、積層体７１２と、流体サンプル端７１４と、電気接触端７１６と、通気口７５２とを備えたＧＯＤ型及びＧＤＨ型グルコースセンサ結合体７００を示している。センサ７００もまた、注入口ノッチ７５４を選択的に備えていても良い。流体サンプル端７１４は、サンプル注入口７１８と通気口７５２との間に第１サンプル室７１７ａ及び第２サンプル室７１７ｂを備える。当然ながら、サンプル注入口７１８は、選択的に互いに隣接する２つの注入口（各流体サンプル経路に１つずつ）であっても良いし、通気口７５２もまた、各流体サンプル経路のための別個の通気口を選択的に組み込んでいても良い。本実施例において、サンプル室の一方はＧＯＤ型センサシステムを組み込み、他方はＧＤＨ型センサシステムを組み込んでいる。
【００６１】
図１６は、図１５の実施例の積層体７１２の拡大図を示す。積層体７１２は基部層７２０と、試薬保持層７３０と、それぞれサンプル室７１７ａ、７１７ｂを形成する第１脚部７４２ａ及び第２脚部７４２ｂを有する分岐型切取部７４２を備えた経路形成層７４０と、注入口ノッチ７５４を選択的に備えたカバー７５０とを有する。基部層７２０は、導電層７２１を有し、その上には少なくとも４つの導電性パス７２２、７２４、７２８、７２９が描かれている。導電層７２１は、インターフェラント及び／又はヘマトクリット補償電極を提供するために付加的な導電性パス７２６、７２７を備えていても良い。
【００６２】
試薬保持層７３０は、少なくとも４つの試薬保持開口部７３２、７３４、７３８、７３９を有する。試薬保持開口部７３２は、導電性パス７２２の一部を露出させ、試薬保持開口部７３４は、導電性パス７２４の一部を露出させ、試薬保持開口部７３８は、導電性パス７２８の一部を露出させ、試薬保持開口部７３９は、導電性パス７２９の一部を露出させて、それぞれ電極孔を形成している。
【００６３】
インターフェラント及び／又はヘマトクリット補償を含むために、試薬保持層７３０は、例えば導電性パス７２６、７２７のようなその他の導電性パスの部分を露出させる付加的な試薬保持開口部を備えていても良い。
【００６４】
図１７は、本発明の別の実施例の３層構造を示しており、ＧＯＤ型センサシステム及びＧＤＨ型センサシステムを並べて配置した構成の組み合わせを示している。図１７は、積層体８１２と、流体サンプル端８１４と、電気接触端８１６と、通気口８５２とを備えたＧＯＤ型及びＧＤＨ型グルコースセンサ結合体８００を示している。センサ８００もまた、注入口ノッチ８５４を選択的に備えていても良い。流体サンプル端８１４は、サンプル注入口８１８と通気口８５２との間に第１サンプル室８１７ａ及び第２サンプル室８１７ｂを含む。先に記載の４層実施例と同様に、当然ながら、サンプル注入口８１８は、選択的に互いに隣接する２つの注入口（各流体サンプル経路に１つずつ）であっても良いし、通気口８５２もまた、各流体サンプル経路のための別個の通気口を選択的に組み込んでいても良い。本実施例において、一方のサンプル室はＧＯＤ型センサシステムを組み込み、他方のサンプル室はＧＤＨ型センサシステムを組み込んでいる。
【００６５】
図１８は、図１７の実施例の積層体８１２の拡大図を示す。積層体８１２は、基部層８２０と、試薬保持層８４０と、それぞれサンプル室８１７ａ、８１７ｂを形成する第１脚部８４２ａ及び第２脚部８４２ｂを有する分岐型切取部８４２を備えた経路形成層８４０と、注入口ノッチ８５４を選択的に備えたカバー８５０とを有する。基部層８２０は、導電層８２１を有し、その上には少なくとも４つの導電性パス８２２、８２４、８２８、８２９が描かれている。導電層８２１は、追加の電極システムを設けるために付加的な導電性パス８２６、８２７を備えていても良い。
【００６６】
図１９には、本発明の別の実施例としての基本の使い捨てグルコースセンサ９００が示されている。使い捨てセンサ９００は、積層体９１２と、サンプル受け孔９１４と、電気接触端９１６とを有する。積層体９１２は、基部層９２０とカバー９５０とを有する。カバー９５０は、基部層９２０と結合された際、サンプル受け孔９１４を形成するサンプル開口部９５２を有する。
【００６７】
基部層９２０は、少なくとも３つの電気パス９２２、９２４、９２６を有し、それらは、計測装置（図示されない）接続用の電気接触端９１６で露出された第１部分と、サンプル受け孔９１４によって露出された第２部分とを有している。
【００６８】
電気パス９２２、９２４、９２６のサンプル受け孔９１４によって露出された第２部分は、少なくとも１つの第１作用電極Ｗ１と、第２作用電極Ｗ２と、少なくとも１つの参照／対電極Ｒ１とを構成する。Ｗ１とＷ２とを分けるために仕切りが設けられるのが好ましい。第１試薬混合物９６０は、少なくともグルコースオキシダーゼを含み、第１作用電極Ｗ１上に配置される。第２試薬混合物９６２は、少なくともグルコースデヒドロゲナーゼを含み、第２作用電極Ｗ２上に配置される。参照／対電極Ｒ１は、先に記載のどんな参照材料を含んでいても良い。本発明のこの実施例において、サンプル受け孔９１４は、グルコースの判定のための血液等の流体サンプルを受け取るためのサンプル注入口及びサンプル室の両方の役割を果たす。
【００６９】
当然のことながら、本願に記載のどの実施例における導管パスも、どんな非腐食金属から作られても良い。従来技術において当業者に良く知られているように、例えばカーボンペースト又はカーボンインク等の炭素堆積物を導管パスとして使用しても良い。
酵素
本発明のグルコース試験紙は、グルコースを酸化可能な、グルコースに敏感な酵素を少なくとも２つ含んでいる。その内の１つは、グルコースオキシダーゼであり、マルトース及びガラクトースのような他の糖に反応しない。２つ目は、酸素に反応しないグルコースデヒドロゲナーゼである。本発明において、グルコースオキシダーゼは、第１作用電極に使用される試薬混合物１（以下に記載）に付加される。本発明において、ＰＱＱ依存性グルコースデヒドロゲナーゼは、第２作用電極に使用される試薬混合物２（以下に記載）に付加される。
【００７０】
レドックスメディエータ
本発明のグルコースセンサには、レドックスメディエータが含まれている。好ましいレドックスメディエータは、グルコースを選択的に酸化可能な酵素の還元型を酸化可能なものである。メディエータの還元型が、与えられた電位で作用電極において電気化学的に酸化されることができるのが望ましい。メディエータが、マトリクス中で安定した状態にあるのがさらに望ましい。メディエータが、参照電極を適切に機能させることができればさらに望ましい。メディエータは、以下に限定されない様々な金属錯体及び有機レドックス化合物から選択されることができる。利用可能なレドックスメディエータの例は、フェリシアン化カリウム、フェロセン及びその派生物、プロマジン、テトラチアフルバレン、メチルブルー、１，４−ベンゾキノン、１，４−ビス（Ｎ，Ｎ−ジメチルアミノ）ベンゼン、４，４’−ジヒドロビフェニルである。本発明の好ましいメディエータは、フェリシアン化カリウム（Ｋ3Ｆｅ（ＣＮ）6）である。試薬混合物中のフェリシアン化カリウムの濃度は、１％（Ｗ／Ｗ）から１５％であるのが好ましい。
ポリマー
任意の結合剤として使用されるポリマーは、十分に水に溶け、電極領域（作用電極、ブランク電極、参照電極）の試薬中の他の化学物質全てを安定化させて導電表面層に結合させる（参照電極がレドックスメディエータ型参照電極である場合）ことができなければならない。本発明の試薬混合物には、２つのポリマーを追加するのが好ましい。好ましいポリマーの１つは、ポリエチレンオキシド（ＰＥＯ）である。その分子量は、数千から数百万である。分子量が百万を超えているのが好ましい。分子量が約４百万であればさらに好ましい。このような製品は、米国ニューヨーク州のサイエンティフィックポリマープロダクツ（Ｓｃｉｅｎｔｉｆｉｃ  Ｐｏｌｙｍｅｒ  Ｐｒｏｄｕｃｔｓ）から購入できる（ＭＷ  ４，０００，０００、Ｃａｔ  Ｎｏ．３４４）。試薬混合物中のＰＥＯの濃度は、０．０４％（Ｗ／Ｗ）から２％が好ましい。第２のポリマーは、メチルセルロースであるのが好ましく、メトセル６０ＨＧ（Ｃａｔ．Ｎｏ．６４６５５、米国ウィスコンシン州ミルウォーキーのフルカケミカルズ（Ｆｌｕｋａ  Ｃｈｅｍｉｃａｌｓ））のブランド名で購入可能である。試薬混合物中のメトセル６０ＨＧの濃度は、０．０５％（Ｗ／Ｗ）から５％であるのが好ましい。
界面活性剤
界面活性剤は、試薬混合物の作用電極、ブランク電極、参照電極用の開口部への分注を促進するためだけでなく、サンプルをサンプル室に入れた際、乾燥化学試薬を迅速に溶解させるために必要とされる。界面活性剤の量と種類は、前述の機能を確実にすると共に、酵素上での変性効果を避けられるように選択されている。界面活性剤は、以下に制限されない様々なアニオン性、カチオン性、非イオン性、両性イオン性洗剤、例えば、ポリオキシエチレンエーテル、トゥイーン２０、コール酸ナトリウム水和物、塩化ヘキサデシルピリジニウム一水和物、ＣＨＡＰｓから選択できる。好ましい界面活性剤は、ポリオキシエチレンエーテルである。さらに好ましいのは、ｔ−オクチルフェノキシポリエトキシエタノールであり、トリトンＸ−１００のブランド名で購入可能である。試薬混合物中のトリトンＸ−１００の濃度は、０．０１％（Ｗ／Ｗ）から２％であるのが好ましい。
緩衝剤
本発明のセンサ試験紙には、乾燥状態のレドックスメディエータと共に、緩衝剤が任意に存在していても良い。緩衝剤は十分な量存在し、試薬混合物のｐＨを十分に維持する。適当な緩衝剤の例としては、クエン酸、リン酸塩、炭酸塩などが挙げられる。本発明では、ｐＨが約６である２０ｍＭのクエン酸塩緩衝剤が、試薬混合物を準備するのに使用される。
【００７１】
したがって、試薬混合物１は、０．７５％（Ｗ／Ｗ）のメトセル６０ＨＧと、０．４％（Ｗ／Ｗ）のポリエチレンオキシドと、０．４％（Ｗ／Ｗ）のトリトンＸ−１００と、８％（Ｗ／Ｗ）のフェリシアン化カリウムと、１．５％（Ｗ／Ｗ）のグルコースオキシダーゼと、２０ｍＭのクエン酸塩緩衝剤（ｐＨ６）とを含む。試薬混合物２は、０．７５％（Ｗ／Ｗ）のメトセル６０ＨＧと、０．４％（Ｗ／Ｗ）のポリエチレンオキシドと、０．４％（Ｗ／Ｗ）のトリトンＸ−１００と、８％（Ｗ／Ｗ）のフェリシアン化カリウムと、０．２％（Ｗ／Ｗ）のグルコースデヒドロゲナーゼ−ＰＱＱと、２０ｍＭのクエン酸塩緩衝剤（ｐＨ６）とを含む。
【００７２】
試薬混合物１は、第１作用電極（Ｗ１）に使用され、試薬混合物２は、第２作用電極（Ｗ２）に使用される。簡単にするために、試薬混合物２は、参照電極（例えば、本発明の第１実施例に記載の３電極システム）にも使用される。ブランクシステムを含む４電極システムの場合には、追加の試薬混合物が必要である。この追加の試薬混合物は、試薬混合物１及び２と同様の組成を持つが、グルコースに反応する酵素が加えられていない。
【００７３】
本発明のグルコース試験紙を製造及び試験する手順を説明するのに、別段の記載がない限り３電極システム（第１実施例）を例として使用する。
試薬混合物の製造
試薬混合物１は２つのステップで製造された。
【００７４】
ステップ１：２０ｍＭのクエン酸塩緩衝剤（ｐＨ６）１００ｍｌに０．７５ｇのメトセル６０ＨＧと、０．４ｇのポリエチレンオキシドと、０．４ｇのトリトンＸ−１００とを加える。溶解するまで溶液をかき混ぜる。
【００７５】
ステップ２：上記溶液に、８ｇのフェリシアン化カリウムと、１．５ｇのグルコースオキシダーゼを加える。溶解するまで溶液をかき混ぜる。この溶液は分注可能である。
試薬混合物２もまた２つのステップで製造された。
【００７６】
ステップ１：２０ｍＭのクエン酸塩緩衝剤（ｐＨ６）１００ｍｌに０．７５ｇのメトセル６０ＨＧと、０．４ｇのポリエチレンオキシドと、０．４ｇのトリトンＸ−１００とを加える。溶解するまで溶液をかき混ぜる。
【００７７】
ステップ２：上記溶液に、８ｇのフェリシアン化カリウムと、２ｇのグルコースデヒドロゲナーゼ−ＰＱＱを加える。溶解するまで溶液をかき混ぜる。この溶液は分注可能である。
グルコースセンサの製造
本発明の様々な実施例の構成は、比較的簡単である。通常、４層構成の場合、基部層と試薬保持層とは、それぞれの試薬保持開口部に適当な試薬混合物が分注された後、互いに積層される。試薬混合物の乾燥後、経路形成層が試薬保持層の上に積層され、カバーが経路形成層上に積層される。３層構造の場合、それぞれの導電表面領域上のＵ字型経路（あるいは並べて配置した構成の実施例の分岐型切取部の各脚部内）に適当な試薬混合物が明確な滴／小滴として分注された後、基部層と経路形成層とが互いに積層される。試薬混合物の乾燥後、カバーが経路形成層上に積層される。
【００７８】
より具体的には、図２に示すように、金ポリエステルフィルムの断片をセンサ１０の基部層２０を形成する形状に切り取る。金ポリエステルフィルムに切り込みを入れるのには、レーザ（先に記載）を使用する。図２に示すように、フィルムは、サンプル流体端１４の３つの電極と３つの接点２２、２４、２６とが電気接触端１６で形成されるように、レーザによって切り取られる。切り込み線は非常に細いが、３つの別個の電気パスを形成するのには十分である。完成したセンサ１０から雑音信号を生じさせる可能性のある静電気の問題を回避するために、切り込み線２８を基部層２０の縁に沿って任意に形成しても良いが、必ずしも必要ではない。
【００７９】
図１に示す小さな電気接触領域を露出させる以外は、片面粘着テープが基部層２０の導電層２１の大部分を覆うように、１枚の片面粘着テープを、試薬保持層３０を形成する大きさと形に切り取る。
【００８０】
試薬保持層３０を基部層２０に張り付ける前に、３つのほぼ同じ大きさの円形開口部３２、３４、３６を、レーザによって、又は、金型穿孔機のような機械的手段によって開け、試薬保持層３０に電極開口部３２、３４、３６を形成する。開口部３２、３４、３６の好ましい孔の大きさの直径は、通常、約０．０３０インチ（０．７６ｍｍ）である。図２に示すように、電極開口部３２、３４、３６は互いに位置合わせされていて、その間隔は、約０．０２５インチ（０．６３ｍｍ）である。開口部が円形であるのは例示目的のためだけである。当然のことながら、開口部の大きさが、電極が適切に機能するのに十分な化学試薬を保持できるほど大きい一方で、適度にサンプル室を小さくできるほどの小ささであれば、開口部の形は重要ではない。前述したように、開口部３２、３４、３６に形成された電極の好ましい配置は、Ｗ１（作用電極１）、Ｗ２（作用電極２）、Ｒ（参照電極）である。その後、試薬保持層３０を、電極孔Ｗ１、Ｗ２、Ｒを画定するように基部層２０に張り付ける。約０．０５から０．０９μＬの試薬混合物１を電極領域Ｗ１に注入する。上述したように、試薬混合物１は、酵素と、安定剤と、結合剤と、界面活性剤と、緩衝剤との混合物であるのが好ましい。同様に、約０．０５から０．０９μＬの試薬混合物２を電極領域Ｗ２及びＲに分注する。
【００８１】
試薬を付加した後、試薬を乾燥する。試薬は、室温程度から約８０℃の温度範囲内で乾燥させることができる。試薬を乾燥させるのに必要な時間は、乾燥処理が行われる温度に依存する。
【００８２】
乾燥後、アドヒーシブリサーチ社から入手可能な両面テープの断片を、Ｕ字型経路４２を含む経路形成層４０にする。経路形成層４０を、その後、試薬保持層３０上に重ねる。前述したように、経路形成層４０は、スペーサとして機能し、サンプル室１７の大きさを規定する。その幅と長さは、流体サンプルが比較的迅速に移動できるように最適化される。
【００８３】
透明フィルム（３Ｍ社から入手可能なＣａｔ．Ｎｏ．ＰＰ２２００又はＰＰ２５００）の断片を使って、最上層／カバー５０を形成する。長方形の通気口５２を、先述したレーザ又は金型穿孔機を使って形成する。通気口５２を、サンプル入口１８から約０．１８０インチ（４．５７ｍｍ）の箇所に配置する。カバー５０を経路形成層４０に位置合わせして重ね、図１に示すように、センサ１０の組み立てを完成する。
グルコースセンサの試験
流体サンプルを本発明の試験紙に加えると、流体サンプルは、サンプル端窓を通って経路に入り、Ｗ１、Ｗ２、Ｒ上を流れ、通気口の入口で止まる。
【００８４】
グルコース試験紙の電流応答の計測には、電気化学アナライザ（米国テキサス州オースチンのＣＨインストルメンツ社のＭｏｄｅｌ  ８１２）を使ったクロノアンペロメトリー（ｉ−ｔカーブ）を使用した。酸素濃度（ｐＯ2）は、トノメータ（米国ユタ州ソルトレイクシティのメディコ社の精密ガスミキサ  ＰＧＭ−３）を使って制御された。血液サンプルに試験紙を入れると、０．３から０．５ボルトの電位が作用電極と参照電極とにわたって加えられる。同じ血液サンプルのグルコース濃度を、ＹＳＩグルコースアナライザ（米国オハイオ州イエロースプリングのＹＳＩ社のＭｏｄｅｌ  ２３００  Ｓｔａｔ  Ｐｌｕｓ）を使って計測する。
【００８５】
上記の実施例は、アンペロメトリー分析に基づいている。しかしながら、本発明のセンサが、サンプル中の検体の濃度を決定するのに、電量分析、電位差測定、ボルタンメトリー、その他の電気化学技術をも使用できることが、当業者には明らかであろう。
【００８６】
本発明に独特の特徴を以下の例に示す。
例１
異なるレベルのｐＯ2の電流応答の実証
ｐＯ2レベル及びグルコース濃度の異なる血液サンプルが、本発明のグルコース試験紙と、電気化学アナライザ（米国テキサス州オースチンのＣＨインストルメンツ社のＭｏｄｅｌ  ８１２）とを用いて試験された。第１作用電極（すなわちＧＯＤ型電極）での電流応答は、血液サンプル中の酸素濃度の減少と共に増加し、血液中の酸素濃度の増加と共に減少することがわかった。このような酸素効果を実証するために、３つの酸素レベル、すなわち、３０、９０、２２０ｍｍＨｇの血液サンプルを試験した。
【００８７】
図２０は、ｐＯ2レベルが３０及び９０ｍｍＨｇでの様々なグルコース濃度に対する第１作用電極（すなわちＧＯＤ型電極）の電流応答を計測したものである。電流応答は、２つの酸素レベル用に試験されたグルコース濃度範囲にわたってグルコース濃度に対して直線的である。しかしながら、予想されたように、ｐＯ2レベルが３０ｍｍＨｇでの電流応答は、ｐＯ2レベルが９０ｍｍＨｇでの電流応答に比べて著しく高い。電流応答における変化をグルコース濃度に変換する際、ＧＯＤ型作用電極でのグルコース濃度の差の平均は、３０から９０ｍｍＨｇにｐＯ2レベルが変化した場合、約２４．３ｍｇ／ｄＬである。
【００８８】
図２１は、９０及び２２０ｍｍＨｇのｐＯ2レベルでの様々な濃度に対するＧＯＤ型電極の電流応答を計測したものである。電流応答は、２２０ｍｍＨｇの酸素レベル用に試験されたグルコース濃度範囲にわたってグルコース濃度に対して直線的である。しかしながら、予想されたように、ｐＯ2レベルが２２０ｍｍＨｇでの電流応答は、ｐＯ2レベルが９０ｍｍＨｇでの電流応答に比べて著しく低い。電流応答における変化をグルコース濃度に変換する際、ＧＯＤ型作用電極でのグルコース濃度の差の平均は、９０から２２０ｍｍＨｇにｐＯ2レベルが変化する場合、約１５．０ｍｇ／ｄＬである。
【００８９】
図２２は、ｐＯ2レベルが３０及び９０ｍｍＨｇでの様々なグルコース濃度に対する第２作用電極（すなわちＧＤＨ型電極）の電流応答を計測したものである。電流応答はまた、２つの酸素レベル用に試験されたグルコース濃度範囲にわたってグルコース濃度に対して直線的である。しかしながら、予想されたように、ＧＤＨ型電極生来の特徴により、ｐＯ2レベルが３０ｍｍＨｇでの電流応答と９０ｍｍＨｇでの電流応答との間には、試験されたグルコース濃度範囲にわたって、ほとんど差がない。
【００９０】
図２３は、ｐＯ2レベルが９０及び２２０ｍｍＨｇでの様々なグルコース濃度に対するＧＤＨ型電極の電流応答を計測したものである。ＧＤＨ型電極での電流応答は、２２０ｍｍＨｇの酸素レベル用に試験されたグルコース濃度範囲にわたってグルコース濃度に対して直線的である。予想されたように、ＧＤＨ型電極生来の特徴により、ｐＯ2レベルが９０ｍｍＨｇでの電流応答と２２０ｍｍＨｇでの電流応答との間には、試験されたグルコース濃度範囲にわたって、ほとんど差がない。
例２
グルコース試験紙を使用したグルコース濃度と参照アナライザでのグル                    コース測定値との間の相関関係
グルコース試験紙の２つの作用電極（Ｗ１及びＷ２）は、参照アナライザ（ＹＳＩグルコースアナライザ）を使用してｐＯ2レベルが９０ｍｍＨｇとなるように調整された。ＹＳＩグルコースアナライザからの、対応する測定値に対する２つの作用電極から生じるグルコース濃度（Ｃ１及びＣ２）を座標に示した。図２４及び２５にはそれぞれ相関座標が示されている。相関式及び回帰定数を以下に示す。
【００９１】
ＧＯＤ型電極：Ｃ１＝０．９４２６ＣYSI＋８．６８２９，Ｒ2＝０．９９８１  （１）
ＧＤＨ型電極：Ｃ２＝１．０３５１ＣYSI＋１．１２０８，Ｒ2＝０．９９７７  （２）
両方の作用電極から生じる濃度が参照アナライザと相関関係を持つのは明らかである。その結果、どちらの作用電極も、平均ｐＯ2レベルが９０ｍｍＨｇでのグルコースセンサとして使用できる。
例３
電極応答の選択の実証−酸素効果
実際の血液サンプルの酸素レベルは不明であるため、酸素濃度に事実上依存せず、グルコース判定に使用されるのが好ましいＧＤＨを利用すべきである。しかしながら、上述したように、ＧＤＨ型作用電極は、例えばガラクトースやマルトースのような、応答を過度に増加しその結果グルコース測定値を不正確にする（以下参照）他の糖からの干渉を受ける。この場合、ＧＯＤ型作用電極からの応答が有利である。したがって、どちらの作用電極が選択されるべきか決定するための所定値あるいは切捨値が必要である。
上述したように、３０から９０ｍｍＨｇまで変化するｐＯ2のグルコース濃度の変化の平均は、ＧＯＤ型作用電極では約２４．３ｍｇ／ｄＬである。この値を、サンプルのグルコース濃度を判定するのにどちらの電極応答を使用するかの選択を決定する場合に、所定値又は切捨値として選択した。例えば、Ｃ１及びＣ２間の絶対差、つまり、｜Ｃ１−Ｃ２｜？２４．３ｍｇ／ｄＬであれば、好ましいグルコース濃度はＣ２、すなわちＧＤＨ型作用電極から判定される濃度に等しい。さもなければ、好ましいグルコース濃度はＣ１、すなわちＧＯＤ型作用電極から判定される濃度に等しい。これは、ガラクトースやマルトースのような他の糖からの深刻な干渉がない限り、本発明のセンサの好ましいグルコース測定値は、常にＧＤＨ型作用電極からのものであることを意味する。所定値あるいは切捨値の「２４．３」は定数ではないことが指摘されておくべきであろう。単に例証目的のために使用されているだけである。その値は電極の構成及び試薬混合物の組成に依存する。また、測定に必要なテストエラーに依存する。
グルコース試験紙が、前もってプログラムされた試験装置と共に使用されるのであれば、２つの作用電極からの２つの応答間の選択を機械的に行うことができる。
溶存酸素の影響に対する本発明のグルコース試験紙の識別可能な特徴を実証するために、ｐＯ2レベルが３０ｍｍＨｇで、グルコース濃度が６９から５６５ｍｇ／ｄＬの７つのレベルの血液サンプルを試験した。２つの作用電極（Ｗ１及びＷ２）から得られたグルコース濃度（Ｃ１及びＣ２）を表１に示す。参照アナライザ（ＹＳＩグルコースアナライザ）に対する中間パーセント誤差（ＭＰＥ）も示す。好ましいグルコース濃度（Ｃ）は、所定値又は切捨値（２４．３）に基づいており、その好ましいＭＰＥと共に表示されている。濃度（Ｃ１及びＣ２）は、酸素レベルが９０ｍｍＨｇの酸素レベルで得られた較正式を用いて計算される。
表１−ｐＯ2が３０ｍｍＨｇの場合の試験結果
【００９２】
【表１】
0004463266.tif 000002
表１に示すように、好ましい平均ＭＰＥ（３．９％）は、ＧＯＤ型作用電極から生じた平均ＭＰＥ（１３．３％）に比べて著しく改善されており、ＧＤＨ型作用電極から生じた平均ＭＰＥ（２．９％）に匹敵する。ＧＤＨ型作用電極のＭＰＥは、グルコース濃度範囲を通して許容可能範囲内にあり、酸素効果を示さない。しかしながら、ＧＯＤ型作用電極のＭＰＥは、酸素効果のためにかなり高く、特にグルコース濃度が低いときに高い。本発明のセンサ独特の特徴により、２つの作用電極間で選択を行うことで酸素からの干渉が大いに減少している。
例４
電極応答の選択の実証−マルトース及びガラクトースからの干渉
ガラクトースやマルトースによる干渉に対する本発明のグルコース試験紙の識別可能な特徴を実証するために、グルコース濃度のレベルが２つでｐＯ2レベルが９０ｍｍＨｇの血液サンプルに、様々な濃度のガラクトース及びマルトースそれぞれが加えられた。その結果生じた血液サンプルを、本発明のグルコース試験紙で試験した。その結果を表２及び３に示す。
表２−ガラクトースを加えたサンプルの試験結果
【００９３】
【表２】
0004463266.tif 000003
表２には、絶対濃度差｜Ｃ１−Ｃ２｜と、好ましいグルコース濃度（Ｃ）と、ＭＰＥとを示している。好ましいグルコース濃度は、所定値又は切捨値（２４．３）に基づいて決定される。好ましいＭＰＥ（１．８％）は、ＧＤＨ型作用電極による平均ＭＰＥ（４３．５％）よりはるかに小さく、また、ＧＯＤ型作用電極による平均ＭＰＥ（２．１％）に匹敵する。
表３−マルトースを加えたサンプルの試験結果
【００９４】
【表３】
0004463266.tif 000004
表３には、絶対濃度差｜Ｃ１−Ｃ２｜と、好ましいグルコース濃度（Ｃ）と、ＭＰＥとを示している。好ましいグルコース濃度は、所定値又は切捨値（２４．３）に基づく。好ましいＭＰＥ（２．４％）は、ＧＤＨ型作用電極による平均ＭＰＥ（５９．２％）よりはるかに小さく、また、ＧＯＤ型作用電極による平均ＭＰＥ（２．７％）に匹敵する。
【００９５】
予想されたように、ＧＤＨ型作用電極は、ガラクトースとマルトースによる厳しい干渉にさらされやすい。その一方で、これらの化合物は、ＧＯＤ型作用電極には何ら影響を与えない。サンプルがガラクトース又は／及びマルトースを含む場合には、ＧＯＤ型作用電極からの応答を使用するのが好ましい。本発明のセンサ独特の特徴により、２つの作用電極間で選択を行うことで阻害糖の影響が大いに減少する。
【００９６】
上記の例は、本発明のグルコース試験紙を使用することによる、酸素及び阻害糖による干渉の影響を例示している。実際のサンプルには、酸素の問題もガラクトース／マルトースの問題も含まれる可能性がある。これらの問題は、本発明のグルコースセンサの選択機能と２つの作用電極とを使って解決できる。
【００９７】
本発明の好適な実施例を記載したが、上記記載は例示に過ぎない。本願に開示された発明のさらなる修正は、当業者によって可能であるが、そのような修正は全て、付属の請求項により規定される本発明の範囲内であると見なされる。
【図面の簡単な説明】
【００９８】
【図１】本発明の一実施例の斜視図であり、試験紙を示している。
【図２】図１の実施例の拡大図であり、試験紙を構成する４つの層を示している。
【図３】本発明の別の実施例の斜視図であり、試験紙を示している。
【図４】図３の実施例の拡大図であり、試験紙を構成する３つの層を示している。
【図５】本発明の別の実施例の斜視図であり、４層のＧＯＤ型センサ試験紙及び４層のＧＤＨ型センサ試験紙を示している。
【図６】図５の実施例の拡大図であり、ＧＯＤ型センサ試験紙及びＧＤＨ型センサ試験紙を構成する層の配置を示している。
【図７】本発明の別の実施例の斜視図であり、３層のＧＯＤ型センサ試験紙及び３層のＧＤＨ型センサ試験紙を示している。
【図８】図７の実施例の拡大図であり、ＧＯＤ型センサ試験紙及びＧＤＨ型センサ試験紙を構成する層の配置を示している。
【図９】本発明の別の実施例の斜視図であり、基部層が共通の４層のＧＯＤ型センサ試験紙及び４層のＧＤＨ型センサ試験紙の組み合わせを示している。
【図１０】図９の実施例の拡大図であり、ＧＯＤ型センサ試験紙及びＧＤＨ型センサ試験紙を構成する層の配置を示している。
【図１１】本発明の別の実施例の斜視図であり、基部層が共通の３層のＧＯＤ型センサ試験紙及び３層のＧＤＨ型センサ試験紙を示している。
【図１２】図１１の実施例の拡大図であり、ＧＯＤ型センサ試験紙及びＧＤＨ型センサ試験紙を構成する層の配置を示している。
【図１３】本発明の別の実施例の斜視図であり、２つの作用電極及び１つのブランク電極、すなわち、ＧＯＤ型電極と、ＧＤＨ型電極と、インターフェラント補償電極とを結合したセンサ試験紙を示している。
【図１４】図１３の実施例の拡大図であり、ＧＯＤ型電極、ＧＤＨ型電極、インターフェラント補償電極、参照電極を構成する層の配置を示している。
【図１５】本発明の別の実施例の斜視図であり、ＧＯＤ型電極とＧＤＨ型電極とを並べて配置して結合した４層構造を備えたセンサ試験紙を示している。
【図１６】図１５の実施例の拡大図であり、ＧＯＤ型電極システム及びＧＤＨ型電極システムを構成する層の配置を示している。
【図１７】本発明の別の実施例の斜視図であり、ＧＯＤ型電極とＧＤＨ型電極とを並べて配置して結合した３層構造を備えたセンサ試験紙を示している。
【図１８】図１７の実施例の拡大図であり、ＧＯＤ型電極システム及びＧＤＨ型電極システムを構成する層の配置を示している。
【図１９】本発明の別の実施例の斜視図を示す。
【図２０】異なる酸素レベルでのＧＯＤ型電極の電流応答間の相関関係を示す。
【図２１】異なる酸素レベルでのＧＯＤ型電極の電流応答間の相関関係を示す。
【図２２】異なる酸素レベルでのＧＤＨ型電極の電流応答間の相関関係を示す。
【図２３】異なる酸素レベルでのＧＤＨ型電極の電流応答間の相関関係を示す。
【図２４】酸素レベルが９０ｍｍＨｇのサンプルにおけるＧＯＤ型電極により決定されるグルコース濃度と参照アナライザのグルコース濃度との相関関係を示す。
【図２５】酸素レベルが９０ｍｍＨｇのサンプルにおけるＧＤＨ型電極により決定されるグルコース濃度と参照アナライザのグルコース濃度との相関関係を示す。
【符号の説明】
【００９９】
１２、２１２、３１２、４１２、６１２、７１２、８１２、９１２・・・積層体
１４、２１４、２１４‘、３１４、４１４、４１４’、６１４、７１４、８１４、９１４・・・流体サンプル端
１６、４１６、６１６、８１６、９１６・・・電気接触端
１７、６１７、７１７ａ、７１７ｂ、８１７ａ、８１７ｂ・・・サンプル室
１８、２１８、２１８‘、３１８、４１８、４１８’、６１８、７１８、８１８・・・サンプル注入口
５２、２５２、４５２、６５２、７５２、８５２・・・通気口
【図１】
0004463266.tif 000005
【図２】
0004463266.tif 000006
【図３】
0004463266.tif 000007
【図４】
0004463266.tif 000008
【図５】
0004463266.tif 000009
【図６】
0004463266.tif 000010
【図７】
0004463266.tif 000011
【図８】
0004463266.tif 000012
【図９】
0004463266.tif 000013
【図１０】
0004463266.tif 000014
【図１１】
0004463266.tif 000015
【図１２】
0004463266.tif 000016
【図１３】
0004463266.tif 000017
【図１４】
0004463266.tif 000018
【図１５】
0004463266.tif 000019
【図１６】
0004463266.tif 000020
【図１７】
0004463266.tif 000021
【図１８】
0004463266.tif 000022
【図１９】
0004463266.tif 000023
【図２０】
0004463266.tif 000024
【図２１】
0004463266.tif 000025
【図２２】
0004463266.tif 000026
【図２３】
0004463266.tif 000027
【図２４】
0004463266.tif 000028
【図２５】
0004463266.tif 000029